(57)【要約】リビジョンナンバーが記録された情報記録媒体及びその記録及び／または再生方法を提供する。  情報記録媒体は規格バージョンナンバーと、規格バージョンナンバーと異なるリビジョンナンバーとが記録された再生専用領域を備える。また、記録及び／または再生方法は、リードイン領域、ユーザデータ領域及びリードアウト領域を含む情報記録媒体に／からデータを記録及び／または再生する方法において、リードイン領域とリードアウト領域のうち少なくとも一領域の再生専用領域に規格バージョンナンバーを記録するステップと、再生専用領域に規格バージョンナンバーと区別されるリビジョンナンバーを記録するステップと、ドライブでバージョンナンバー及びリビジョンナンバーを読み取り、バージョンナンバー及びリビジョンナンバーによる規格によってデータを記録及び／または再生するステップとを含む。
2006520991.tif 000002
【特許請求の範囲】
【請求項１】
規格バージョンナンバーと、前記規格バージョンナンバーと異なるリビジョンナンバーとが記録された再生専用領域を備えることを特徴とする情報記録媒体。
【請求項２】
リードイン領域、ユーザデータ領域及びリードアウト領域を備え、前記再生専用領域は、前記リードイン領域とリードアウト領域のうち少なくとも一つに備わることを特徴とする請求項１に記載の情報記録媒体。
【請求項３】
前記再生専用領域は、前記リードイン領域とリードアウト領域のうち少なくとも一領域に備わったディスクコントロールデータゾーンであることを特徴とする請求項２に記載の情報記録媒体。
【請求項４】
前記リビジョンナンバーは、前記ディスクコントロールデータゾーンにある特定のｍ番目のバイトに記録されることを特徴とする請求項３に記載の情報記録媒体。
【請求項５】
前記リビジョンナンバーが変わる度に変化したリビジョンナンバーが前記ｍ番目のバイトに記録されることを特徴とする請求項４に記載の情報記録媒体。
【請求項６】
前記リビジョンナンバーは、前記リードイン領域及びリードアウト領域に重複されて記録されることを特徴とする請求項２ないし５のうちいずれか一項に記載の情報記録媒体。
【請求項７】
前記リビジョンナンバーがｘ．ｙである時、前記ｍ番目のバイトの前方にある４ビットにｘが、後方にある４ビットにｙが記録されることを特徴とする請求項４または５に記載の情報記録媒体。
【請求項８】
１６進法と２進法方式のうち一つがリビジョンナンバーの記録に使われることを特徴とする請求項７に記載の情報記録媒体。
【請求項９】
前記リビジョンナンバーは、前記再生専用領域にある少なくとも二つ以上のバイトに反復的に記録されることを特徴とする請求項１ないし３のうちいずれか一項に記載の情報記録媒体。
【請求項１０】
前記規格バージョンナンバー及びリビジョンナンバーが、規格バージョンナンバーに対応する規格によって決まったデータ記録及び／または再生と結合された少なくとも一つの因子を表すことを特徴とする請求項１ないし５のうちいずれか一項に記載の情報記録媒体。
【請求項１１】
前記少なくとも一つの因子は、記録速度、偏重心及び記録容量のうち一つであることを特徴とする請求項１０に記載の情報記録媒体。
【請求項１２】
リードイン領域、ユーザデータ領域及びリードアウト領域を含む情報記録媒体に／からデータを記録及び／または再生する方法において、
前記リードイン領域とリードアウト領域のうち少なくとも一領域の再生専用領域に規格バージョンナンバーを記録するステップと、
前記再生専用領域に前記規格バージョンナンバーと区別されるリビジョンナンバーを記録するステップと、
ドライブで前記バージョンナンバー及びリビジョンナンバーを読み取り、バージョンナンバー及びリビジョンナンバーによる規格によってデータを記録及び／または再生するステップとを含むことを特徴とする方法。
【請求項１３】
ドライブが記録を行うことを特徴とする請求項１２に記載の方法。
【請求項１４】
前記再生専用領域は、前記リードイン領域とリードアウト領域のうち少なくとも一領域に備わったディスクコントロールデータゾーンであることを特徴とする請求項１２に記載の方法。
【請求項１５】
前記リビジョンナンバーは、前記ディスクコントロールデータゾーンにある特定のｍ番目のバイトに記録されることを特徴とする請求項１２に記載の方法。
【請求項１６】
前記リビジョンナンバーが変わる度に、変化したリビジョンナンバーが前記ｍ番目のバイトに記録されることを特徴とする請求項１５に記載の方法。
【請求項１７】
前記リビジョンナンバーは、前記リードイン領域及びリードアウト領域に重複されて記録されることを特徴とする請求項１２ないし１６に記載の方法。
【請求項１８】
前記リビジョンナンバーがｘ．ｙである時、前記ｍ番目のバイトの前方にある４ビットにｘが、後方にある４ビットにｙが記録されることを特徴とする請求項１２ないし１６のうちいずれか一項に記載の方法。
【請求項１９】
前記リビジョンナンバーは、前記再生専用領域にある少なくとも二つ以上のバイトに反復的に記録されることを特徴とする請求項１２ないし１６のうちいずれか一項に記載の方法。
【請求項２０】
規格バージョンナンバーと、前記規格バージョンナンバーと異なるリビジョンナンバーが記録された再生専用領域を持つ情報記録媒体に／からデータを記録及び／または再生するドライブ装置であって、
情報記録媒体に／からデータを記録及び／または再生するピックアップを備え、
前記情報記録媒体がドライブ装置に挿入された時、前記ドライブ装置がバージョンナンバー及びリビジョンナンバーを読み取り、前記バージョンナンバー及びリビジョンナンバーに対応する規格によってデータを記録及び／または再生することを特徴とするドライブ装置。
【請求項２１】
情報記録媒体にデータを記録するためのドライブ装置において、
特定の圧縮スキームによってＡＶ信号を圧縮し、その圧縮されたＡＶデータを出力するＡＶ符号器と、
圧縮されたＡＶデータを受信し、圧縮されたＡＶ信号に対するＥＣＣ処理のためのデータを付加し、特定の変調スキームによって結果データを変調させ、その変調されたデータを出力するデジタル信号処理器と、
変調データをＲＦ信号に変換して出力するＲＦ増幅器と、
前記情報記録媒体上にＲＦ信号を記録するピックアップとを含み、
前記データは、規格バージョンナンバーと、前記規格バージョンナンバーと異なるリビジョンナンバーとを含むことを特徴とする装置。
【請求項２２】
情報記録媒体にデータを再生するためのドライブ装置において、
前記情報記録媒体から光信号を検出するピックアップと、
光信号を変調データのＲＦ信号に変換してＲＦ信号を出力するＲＦ増幅器と、
変調スキームによって変調データを復調し、ＥＣＣ処理を行って圧縮されたＡＶ信号を出力するデジタル信号処理器と、
圧縮されたＡＶデータを復調してＡＶ信号を出力するＡＶデコーダとを備え、
前記データは、規格バージョンナンバーと、前記規格バージョンナンバーと異なるリビジョンナンバーとであることを特徴とする装置。
【発明の詳細な説明】
【技術分野】
【０００１】
本発明は、情報記録媒体及びその記録及び／または再生方法に係り、さらに詳細には、同じバージョンナンバーを持つ規格に対して内容の追加が必要な場合、追加内容に対するリビジョンナンバーが記録された情報記録媒体及びその記録及び／または再生方法に関する。
【背景技術】
【０００２】
一般的に情報記録媒体は、非接触式で情報を記録／再生する光ピックアップ装置の情報記録媒体として広く採用されて、情報記録媒体の一つである光ディスクは、情報記録容量によってコンパクトディスク（ＣＤ）、デジタル多機能ディスク（ＤＶＤ）に区分される。そして、記録、消去及び再生の可能な光ディスクには、６５０ＭＢ  ＣＤ−Ｒ、ＣＤ−ＲＷ、４．７ＧＢ  ＤＶＤ＋ＲＷなどがある。さらに、記録容量が２０ＧＢ以上であるＨＤ−ＤＶＤも開発されている。
【０００３】
このような多様な種類の記録媒体の物理的構造や記録／再生方法を統一させるために規格が決まっている。記録媒体の規格に関連した内容は無数に多いが、特に、記録容量や記録速度が重要な内容になりうる。例えば、記録容量が増大するために要求される記録／再生条件は多くあるが、このような記録／再生条件が既存規格に規定された条件と異なるとき、規格が変わりつつ規格バージョンナンバーが変わる。
【０００４】
規格バージョンナンバーが変われば、新たな規格によって記録／再生条件が規定される。ところが、記録／再生に関連した内容は変わり続け、この変化した内容について追加的に情報を提供する必要がある。一般的に新たな規格が決まればバージョンナンバーが変わるが、バージョンナンバーは変わらずに記録／再生に関連した一部内容のみ変わりうる。従来には、このような追加情報を記録媒体に記録せず、別途の追加情報ファイルを通じて提供した。
【０００５】
例えば、規格バージョンナンバーが２．０である記録媒体において記録速度が１〜４倍速と規定されているが、記録速度が１〜４倍速だけでなく５倍速までになりうる。この時、既存の記録速度をいずれも満足させるのでバージョンナンバーが変わらず、５倍速についての情報を追加で提供せねばならないが、規格バージョン２．０である記録媒体は、５倍速でも記録できることを表す情報を別途の追加情報ブックに記録する。
【０００６】
したがって、追加情報が出る度に、ドライブではこの追加情報を認識する方法がなくてユーザの立場で非常に不便であった。
【発明の開示】
【発明が解決しようとする課題】
【０００７】
本発明は、前記問題点を鑑みてなされたものであり、同じバージョンナンバーを持つ規格に関連した追加情報に対するリビジョンナンバーを再生専用データで記録して、そのリビジョンナンバーによってデータを記録及び／または再生可能になっている情報記録媒体及びその記録及び／または再生方法を提供するところにその目的がある。
【課題を解決するための手段】
【０００８】
前記目的を達成するために、規格バージョンナンバーと、前記規格バージョンナンバーと異なるリビジョンナンバーとが記録された再生専用領域を備える情報記録媒体を提供する。
【０００９】
リードイン領域、ユーザデータ領域及びリードアウト領域を備え、前記再生専用領域は、前記リードイン領域とリードアウト領域のうち少なくとも一つに備わる。
【００１０】
前記リビジョンナンバーは、前記ディスクコントロールデータゾーンにある特定のｍ番目のバイトに記録される。前記リビジョンナンバーがｘ．ｙである時、前記ｍ番目のバイトの前方にある４ビットにｘが、後方にある４ビットにｙが記録される。
【００１１】
前記目的を達成するために、本発明による方法は、リードイン領域、ユーザデータ領域及びリードアウト領域を含む情報記録媒体に／からデータを記録及び／または再生する方法において、前記リードイン領域とリードアウト領域のうち少なくとも一領域の再生専用領域に規格バージョンナンバーを記録するステップと、前記再生専用領域に前記規格バージョンナンバーと区別されるリビジョンナンバーを記録するステップと、ドライブで前記バージョンナンバー及びリビジョンナンバーを読み取り、バージョンナンバー及びリビジョンナンバーによる規格によってデータを記録及び／または再生するステップと、を含む。ここで、前記最後の作動は、ドライブによって行われる。
【００１２】
前記目的を達成するために、規格バージョンナンバーと、前記規格バージョンナンバーと異なるリビジョンナンバーが記録された再生専用領域を持つ情報記録媒体に／からデータを記録及び／または再生するドライブ装置であって、情報記録媒体に／からデータを記録及び／または再生するピックアップを備え、前記情報記録媒体がドライブ装置に挿入された時、前記ドライブ装置がバージョンナンバー及びリビジョンナンバーを読み取り、前記バージョンナンバー及びリビジョンナンバーに対応する規格によってデータを記録及び／または再生するドライブ装置を提供する。
【００１３】
前記目的を達成するために、情報記録媒体にデータを記録するためのドライブ装置において、特定の圧縮スキームによってＡＶ信号を圧縮し、その圧縮されたＡＶデータを出力するＡＶ符号器と、圧縮されたＡＶデータを受信し、圧縮されたＡＶ信号に対するＥＣＣ処理のためのデータを付加し、特定の変調スキームによって結果データを変調させ、その変調されたデータを出力するデジタル信号処理器と、変調データをＲＦ信号に変換して出力するＲＦ増幅器と、前記情報記録媒体上にＲＦ信号を記録するピックアップと、を含み、前記データは、規格バージョンナンバーと、前記規格バージョンナンバーと異なるリビジョンナンバーとを含む装置を提供する。
【００１４】
前記目的を達成するために、情報記録媒体にデータを再生するためのドライブ装置において、前記情報記録媒体から光信号を検出するピックアップと、光信号を変調データのＲＦ信号に変換してＲＦ信号を出力するＲＦ増幅器と、変調スキームによって変調データを復調し、ＥＣＣ処理を行って圧縮されたＡＶ信号を出力するデジタル信号処理器と、圧縮されたＡＶデータを復調してＡＶ信号を出力するＡＶデコーダと、を備え、前記データは、規格バージョンナンバーと、前記規格バージョンナンバーと異なるリビジョンナンバーとであることを特徴とする装置を提供する。
【発明を実施するための最良の形態】
【００１５】
以下、添付した図面を参照して本発明の望ましい実施形態について詳細に説明する。
【００１６】
図１は、記録可能な情報記録媒体のデータ領域構造を示すものであり、本発明による情報記録媒体は、リードイン領域１０、ユーザデータ領域２０及びリードアウト領域３０を備える。前記リードイン領域１０及びリードアウト領域３０のうち少なくとも一領域の再生専用領域に規格バージョンナンバー及びリビジョンナンバーが記録される。
【００１７】
同じ規格バージョンナンバーを持つ記録媒体の記録／再生特性が変わった時、この変化した特性の情報に関連したナンバーを規定するが、そのナンバーをリビジョンナンバーという。このリビジョンナンバーは、追加される情報があるときに付加される。
【００１８】
言い換えれば、前記規格バージョンナンバーによる規格で決まったデータの記録及び／または再生と関連した項目のうち、少なくともいずれか一つの項目に対する内容が変わったとき、その変化した項目に対応するリビジョンナンバーが記録される。
【００１９】
前記リードイン領域１０は、再生専用領域と記録可能な領域とに分けられ、例えば、第１バッファゾーン１０−１、ディスクコントロールデータゾーン１０−２、ディスクテストゾーン１０−３、ドライブテストゾーン１０−４、欠陥管理ゾーン１０−５、保留ゾーン１０−６及び第２バッファゾーン１０−７を備えられる。例えば、前記第１バッファゾーン１０−１及びディスクコントロールデータゾーン１０−２は、記録媒体製造時からデータが記録される再生専用領域であり、残りの領域は、記録可能な領域でありうる。
【００２０】
前記バージョンナンバー及び前記リビジョンナンバーは、前記ディスクコントロールデータゾーン１０−２に記録されることが望ましい。前記ディスクコントロールデータゾーン１０−２は、図２に示すように、複数のバイトからなり、ディスクコントロールデータゾーン１０−２の所定のｍ番目のバイトにリビジョンナンバーを記録できる。図２では、第３バイトにリビジョンナンバーを記録する例が図示されている。または、リビジョンナンバーが第１０バイトの保留領域に記録されうる。
【００２１】
ここで、１バイトは、図３に示すように、第０ビット０ｂ、第１ビット１ｂ、第２ビット２ｂ、第３ビット３ｂ、第４ビット４ｂ、第５ビット５ｂ、第６ビット６ｂ、第７ビット７ｂの８ビットで構成される。リビジョンナンバーをｘ．ｙといい、このリビジョンナンバーを特定の１バイトに記録する時、前方にある４ビット、すなわち、第７〜４ビット７ｂ、６ｂ、５ｂ、４ｂにはｘを、後方にある４ビット、すなわち、第３〜０ビット３ｂ、２ｂ、１ｂ、０ｂにはｙを記録する。例えば、リビジョンナンバーが０．１であるときに０００００００１ｂで記録され、リビジョンナンバーが１．１であるときに０００１０００１ｂで記録される。このような方法でリビジョンナンバーを記録するとき、１６進法方式または２進法方式を使用できる。
【００２２】
同じ規格バージョンを持つ記録媒体に具体的にリビジョンナンバーが付与される例を説明すれば、次の通りである。例えば、規格バージョンが２．１である規格では記録速度が１〜４倍速に決まっているが、記録速度が１〜４倍速だけでなく５倍速までになりうる場合、前記バージョンナンバーは２．１に変わらないが、５倍速でも記録できるということを示す必要がある。このような場合に、バージョンナンバーは、例えば、第０バイトに２．１で記録される一方、リビジョンナンバーがｍ番目のバイトに、例えば、１．０で記録される。記録媒体にデータを記録／再生するドライブでこのリビジョンナンバーを読み取って、そのリビジョンナンバーによる記録速度、すなわち、５倍速でデータを記録／再生できる。
【００２３】
また、１〜４倍速だけでなく５倍速と６倍速で記録可能になる場合に、バージョンナンバーは２．１に維持される一方、６倍速についての追加情報が新たなリビジョンナンバーで記録される。この新たなリビジョンナンバーは、例えば、２．０でありうる。ドライブでこのリビジョンナンバーを読み取って６倍速でデータを記録及び／または再生できる。ここで、リビジョンナンバーが１．０であるときには、記録速度が１〜５倍速まで可能であり、リビジョンナンバーが２．０であるときには、記録速度が１〜６倍速まで可能である。
【００２４】
前記例では、記録速度が変わる場合にリビジョンナンバーが付与される例を説明したが、記録速度以外に他の内容が変わる場合、例えば、偏重心または記録容量などが変わる場合にもリビジョンナンバーが付与されうる。
【００２５】
このように、リビジョンナンバーは新たな追加情報が生じる度に更新され、この更新されるリビジョンナンバーは特定のバイトに記録される。このリビジョンナンバーは、記録媒体の製造時に再生専用データで記録され、例えば、ピット形態またはグルーブウォッブル形態で記録される。
【００２６】
一方、前記リビジョンナンバーは、前記リードイン領域１０及びリードアウト領域３０にある再生専用領域に重複されて記録されうる。または、前記リードイン領域１０またはリードアウト領域３０にある再生専用領域の２つ以上のバイトにリビジョンナンバーを重複して記録できる。例えば、前記ディスクコントロールデータゾーン１０−２にあるｍバイト及び（ｍ＋１）バイトにリビジョンナンバーをそれぞれ記録でき、３個のバイトに重複して記録してもよい。このような反復記録を通じていずれか一つのリビジョンナンバーが損傷したとき、他のリビジョンナンバーを利用可能にすることによって信頼性を高めることができる。
【００２７】
次いで、図４は、再生専用の情報記録媒体のデータ領域構造を示すものである。この再生専用の情報記録媒体は、リードイン領域４０、ユーザデータ領域４５及びリードアウト領域５０を含み、全領域が再生専用領域で構成される。特に、前記リードイン領域４０にあるディスク関連情報領域４０−１にリビジョンナンバーが記録されることが望ましい。このリビジョンナンバーは、前記リードイン領域４０及びリードアウト領域５０に反復して記録できる。また、リードイン領域４０内でリビジョンナンバーが２回以前記録されるか、リードアウト領域５０内で２回以上記録される。
【００２８】
本発明の望ましい実施例による情報記録媒体に／からデータを記録及び／または再生する方法について、図１を参照して説明する。まず、前記リードイン領域１０とリードアウト領域３０のうち少なくとも一領域にある再生専用領域に規格バージョンナンバーを記録し、この規格バージョンナンバーと区別されるリビジョンナンバーを記録する。このリビジョンナンバーによる追加情報は別途に規定されている。
【００２９】
前記リビジョンナンバーは、例えば、前記リードイン領域１０にあるディスクコントロールデータゾーン１０−２にある所定バイトに記録される。リビジョンナンバーが記録された情報記録媒体がドライブに挿入されれば、ドライブでは、前記規格バージョンナンバー及びリビジョンナンバーを読み取って、そのバージョンナンバー及びリビジョンナンバーに対応する規格によってデータを記録及び／または再生する。
【００３０】
本発明による情報記録媒体に／からデータを記録及び／または再生するドライブ装置が、図５に図示されている。データの記録時、ＡＶ符号器１１０が特定の圧縮スキームによってＡＶ信号を圧縮コード化し、圧縮データのためのサイズ情報を供給する。そして、デジタル信号処理器１２０は、ＡＶ符号器１１０から供給された圧縮Ａ／Ｖデータを受信し、ＥＣＣ処理のための付加データを付加し、特定の変調スキームを利用して変調を行う。ＲＦ増幅器１３０は、デジタル信号処理器１２０からの変調データをＲＦ信号に変換する。次いで、ピックアップ１４０がＲＦ増幅器１３０から提供されたＲＦ信号をピックアップのターンテーブルに装着されたディスクに記録する。サーボ１５０は、システム制御器１６０からサーボ制御のために必要な情報を受信し、ディスクのためのサーボ機能を行う。
【００３１】
次いで、ディスクに保存されたデータの再生時、ピックアップは、ディスクから光信号を検出し、ディスクに保存されたデータは光信号から抽出される。ＲＦ増幅器１３０は、光信号をＲＦ信号に変換し、サーボ機能を行うためにサーボ信号を抽出して変調する。デジタル信号処理器１２０は、データ変調時に使われた変調スキームに対応して、ＲＦ増幅器１３０から提供された変調データを復調し、ＥＣＣ処理を行ってエラーを訂正し、付加されたデータを除去する。サーボ１５０は、前記ＲＦ増幅器１３０及びシステム制御器１６０からサーボ制御のために必要な情報を受信する。前記ＡＶ符号器１１０は、デジタル信号処理器１２０から提供された圧縮Ａ／ＶデータをデコーディングしてＡ／Ｖ信号を出力する。前記システム制御器１６０は、ピックアップのターンテーブルに装着されたディスクに／からデータを記録／再生するために全体システムを制御する。
【００３２】
前記のように構成されたドライブ装置に本発明による記録媒体を挿入した時、前記ドライブ装置は、前記バージョンナンバー及びリビジョンナンバーを読み取って、バージョンナンバー及びリビジョンナンバーに対応する規格によってデータを記録及び／または再生する。
【００３３】
本発明によるデータの記録及び／または再生方法は、同じ規格バージョン内である項目に関連した内容が変わる時、その変化した内容に対応するリビジョンナンバーを記録するステップを含む。例えば、記録媒体の偏重心が変わるとき、その偏重心と関連したリビジョンナンバー、例えば、リビジョンナンバー２．０が前記ディスクコントロールデータゾーン１０の所定バイトに記録される。
【００３４】
前記例では、偏重心が変わった場合を例としたが、記録速度が変わった場合にも同一に適用でき、記録速度については、前述した通りであるので、ここではその詳細な説明を省略する。
【００３５】
本発明によるデータの記録及び／または再生方法は、記録媒体が速く開発されるにつれて、規格で決まった内容が修正される可能性が多くなるが、この修正される内容をドライブで認識できるように別途の情報を提供する。
【産業上の利用可能性】
【００３６】
前述したように、本発明による情報記録媒体及びその記録及び／または再生方法は、規格バージョンナンバーと区別されるリビジョンナンバーが記録され、規格は変わらない範囲内である内容が変わるとき、その変化した内容に対応するリビジョンナンバーにより追加情報を提供する。記録媒体に／からデータを記録及び／または再生するドライブ装置は、そのリビジョンナンバーを利用して変化した情報を認識し、その変化した内容によってデータを記録または再生できる。
【００３７】
前記実施形態は、例示的なものに過ぎず、当業者ならばこれより多様な変形及び均等な他の実施形態が可能であろう。したがって、本発明の真の技術的保護範囲は、特許請求の範囲に記載された発明の技術的思想により決まらねばならない。
【図面の簡単な説明】
【００３８】
【図１】記録可能な情報記録媒体のデータ領域構造を示す図である。
【図２】本発明による情報記録媒体に含まれたリードイン領域のディスクコントロールデータゾーンのデータ構造を示す図である。
【図３】本発明による情報記録媒体に／からデータを記録及び／または再生する方法を説明するための図である。
【図４】再生専用の情報記録媒体のデータ領域構造を示す図である。
【図５】本発明による情報記録媒体に／からデータを記録及び／または再生するドライブ装置のブロック図である。
【図１】
2006520991.tif 000003
【図２】
2006520991.tif 000004
【図３】
2006520991.tif 000005
【図４】
2006520991.tif 000006
【図５】
2006520991.tif 000007
【国際調査報告】
2006520991.tif 000008
2006520991.tif 000009